(57)【特許請求の範囲】
【請求項１】
複数の棚箱がひな壇状に配置される第１形態と、
複数の棚箱が上下に一列に配置される第２形態との間で変形自在な陳列用棚台であって、
上部棚箱と、前記上部棚箱を前面に保持する上部背板とを有する上部棚台と、
下部棚箱と、前記下部棚箱を前面に保持する下部背板とを有する下部棚台と、
前記上部背板の前面のうち前記上部棚箱よりも下の部分及び前記下部背板の背面のうち前記下部棚箱よりも上の部分に上下方向に回動可能に軸支された、前記上部棚台と前記下部棚台とを連結する連結部材と、
前記上部背板の左右両側に設けられた一対の支柱であって、その下端部が前記上部背板の下端部よりも上方又は下方に位置するように伸縮可能な一対の上部支柱と、
前記下部背板の左右両側に設けられた一対の支柱であって、前記第２形態に変形させたときに前記上部支柱の伸長部分が上方から進入する孔部を有する一対の下部支柱とを備え、
前記連結部材を回動させることにより、前記第１形態と前記第２形態とに変形することを特徴とする陳列用棚台。
【請求項２】
請求項１に記載の陳列用棚台において、
前記上部支柱は外枠とその内部に収納されたスライド芯からなり、該外枠の一側面には窓が設けられ、該スライド芯の一側面には前記窓を通して前記スライド芯を上下にスライドさせるためのスライド操作部が設けられていることを特徴とする陳列用棚台。
【発明の詳細な説明】
【技術分野】
【０００１】
本発明は、複数の棚箱を備える陳列用棚台に関し、特に棚箱の配置を変えることの可能な陳列用棚台に関する。
【背景技術】
【０００２】
従来から、商品等を陳列する陳列用棚台には、各棚箱が上下に配置されるものと、ひな壇状に配置されるものがある。陳列用棚台を吊して使用する場合には、各棚箱が上下に配置されるものが用いられ、床などに置いて使用する場合には、その安定性からひな壇状に配置されたものが用いられることが多い。
【０００３】
様々な商品が陳列される店頭においては、店内の空きスペースに応じて、棚箱が上下に配置された棚台、又はひな壇状に配置された棚台のいずれかが選択して使用されている。従って、店内の状況に応じて商品陳列方法を変更したい場合、各店はそれぞれの形態の棚台を用意しておかなければならず、不便であった。
【０００４】
この点、特許文献１に記載の置き吊り兼用連結陳列棚では、一つの棚台で、棚箱が上下に配置された形態と、ひな壇状に配置された形態のいずれにも変化できるため、各店はそれぞれの形態の棚台を別個に用意する必要がなくなる。この置き吊り兼用連結陳列棚は、各棚箱の側枠を連結する連結板と、縦の平行な折れ線によって中央面とその両側の折側面に区分された支柱板を有する。連結板は、傾斜させることにより各棚箱をひな壇状に配置するために、また、支柱板は、両折側面を中央面に対して折り曲げることで、各棚箱がひな壇状に配置される際に支柱として機能させるために、それぞれ設置されている。
【先行技術文献】
【特許文献】
【０００５】
【特許文献１】特開平9-140521号公報
【発明の概要】
【発明が解決しようとする課題】
【０００６】
しかし、上記の構成において、各棚箱が上下に配置された形態からひな壇状に配置された形態に変化させるには、支柱板を折り曲げ、支柱板と背板にそれぞれ設けられた係止溝同士を噛み合わせなければならず、手間がかかる。
【０００７】
本発明はこのような問題に鑑みて成されたものであり、一つの棚台で、上記の両方の形態に容易に変化し得る棚台を提供することを目的とする。
【課題を解決するための手段】
【０００８】
上記課題を解決するためになされた本発明に係る陳列用棚台は、
複数の棚箱がひな壇状に配置される第１形態と、
複数の棚箱が上下に一列に配置される第２形態との間で変形自在な陳列用棚台であって、
上部棚箱と、前記上部棚箱を前面に保持する上部背板とを有する上部棚台と、
下部棚箱と、前記下部棚箱を前面に保持する下部背板とを有する下部棚台と、
前記上部背板の前面のうち前記上部棚箱よりも下の部分及び前記下部背板の背面のうち前記下部棚箱よりも上の部分に上下方向に回動可能に軸支された、前記上部棚台と前記下部棚台とを連結する連結部材とを備え、
前記連結部材を回動させることにより、前記第１形態と前記第２形態とに変形することを特徴とする。
【０００９】
上記陳列用棚台においては、
前記上部背板の左右両側に設けられた一対の支柱であって、その下端部が前記上部背板の下端部よりも上方又は下方に位置するように伸縮可能な一対の上部支柱と、
前記下部背板の左右両側に設けられた一対の支柱であって、前記第２形態に変形させたときに前記上部支柱の伸長部分が上方から進入する孔部を有する一対の下部支柱と
をさらに備えることが好ましい。
【００１０】
また、前記上部支柱が外枠とその内部に収納されたスライド芯からなり、該外枠の一側面には窓が設けられ、該スライド芯の一側面には前記窓を通して前記スライド芯を上下にスライドさせるためのスライド操作部が設けられていることが好ましい。
【発明の効果】
【００１１】
本発明に係る陳列用棚台では、連結部材を回動連結部材を回動させて上部背板と下部背板を前後に離れた状態にすると、上部棚台の上部棚箱と下部棚台の下部棚箱がひな壇状に配置される第１形態になり、連結部材を回動させて上部背板と下部背板が上下に一列に並んだ状態にすると、上部棚台の棚箱と下部棚台の棚箱が上下に配置される第２形態になる。このように本発明では、連結部材を上下に回動させるだけで、第１形態と第２形態とに容易に変形させることができる。
【００１２】
また、上部背板の左右両側に、下部において伸縮可能な上部支柱を設けると共に、下部背板の左右両側に、前記上部支柱の伸長部分が進入する孔部を有する下部支柱を設けることにより、第２形態において、上部支柱の下端の伸長部分を下部支柱の孔部に進入させることができ、これにより、より安定的に上部棚台を支えることができる。
【図面の簡単な説明】
【００１３】
【図１】本実施例に係る陳列用棚台の形態変化を示す説明図であり、(a)棚箱が上下に配置された形態、(b)(a)の形態から連結板を回動させている途中の形態、(c)棚箱がひな壇状に配置された形態、を示す図。
【図２】本実施例に係る棚台において、棚箱が上下に配置された形態の斜視図。
【図３】本実施例に係る棚台において、棚箱がひな壇状に配置された形態の斜視図。
【図４】本実施例に係る上部支柱を構成する(a)外枠と(b)スライド芯の斜視図。
【図５】本発明の変形例に係る棚台の斜視図。
【図６】本発明の変形例に係る棚台の斜視図。
【発明を実施するための形態】
【００１４】
本発明の実施の形態について図１〜図６を用いて説明する。
【実施例】
【００１５】
図１は、本実施例に係る棚台が（a）棚箱が上下に配置された形態から（c）棚箱がひな壇状に配置された形態へ変形する様子を示す説明図であり、図２は棚箱が上下に配置された形態の斜視図、図３は棚箱がひな壇状に配置された形態の斜視図である。上部棚台１０は、上部背板１１、上部背板１１の背面両側に設けられた上部支柱１２、及び上部棚箱１３から成る。上部棚箱１３は上部背板１１の前面に水平に取り付けられている。上部棚箱１３は、上部支柱１２の下端から、下部支柱２２の高さ分だけ上方に上部棚箱１３の下端が位置するように取り付けられている。また、上部背板１１の上部には、紐を通すための紐孔１４が２つ設けられ、紐１５が通されている。下部棚台２０は、下部背板２１、下部背板２１の背面両側に設けられた下部支柱２２、及び下部棚箱２３から成る。下部棚箱２３は下部背板２１の前面下端に取り付けられている。下部支柱２２は内側が空洞になっている。
【００１６】
連結板３０は、上部背板接着部３１、下部背板接着部３２、及び連結部３３から成る。上部背板接着部３１と連結部３３との境界、及び下部背板接着部３２と連結部３３との境界はそれぞれ直線状であり、連結板３０は各境界線において折り曲げ可能である。上部背板接着部３１は、上部背板１１正面の上部棚箱１３の取付部の下方に、下部背板接着部３２は下部背板の背面に、それぞれ接着されている。連結部３３と上部背板接着部３１との境界線は上部棚箱１３の取り付け位置下端に沿うように、水平に配置されている。連結部３３の長さは上部棚箱１３の底面の奥行きと同じである。なお、本実施例における上部背板１１、上部支柱１２、上部棚箱１３、下部背板２１、下部支柱２２、下部棚箱２３、及び連結板３０は全て厚紙から成る。
【００１７】
まず、図１(a)、及び図２を参照しつつ、棚箱が上下に配置された形態について説明する。連結板３０を、連結部３３と下部背板接着部３２との境界線では折り曲げず、連結部３３と上部背板接着部３１との境界線で１８０゜折り曲げる。これにより、上部背板１１と下部背板２１は、連結板３０を介し、上下に一列に配置されることになる。上部支柱１２は下部支柱２２の上部に配置されるため、上部支柱１２を下方に延長し、その延長部分１６（図１(a)の斜線部分）を下部支柱２２の内部に収納することで、上部棚台１０を下部棚台２０と安定的に連結することができる。従って、紐孔１４に通した紐１５により、棚台全体をつり下げることができる。
【００１８】
もっとも、棚箱が上下に配置された形態の棚台を床などの水平面上に配置したとしても、下部棚台２０は下部支柱２２、及び下部棚箱２３の底面により支えられるため、安定性を保つことは可能である。
【００１９】
次に、棚箱が上下に配置された形態（図１(a)）から、ひな壇状に配置された形態（図１(c)）に変形させる手順（図１(b)参照）を説明する。
連結板３０の、連結部３３と上部背板接着部３１との間の境界線の折れ曲げ角度を１８０°から小さくしていく。その際、上部支柱１２の延長部分１６は元に戻しておく。同時に、連結部３３と下部背板接着部３２との境界線を折り曲げ、下部棚台２０が上部棚台１０の前方に突き出るようにする。
【００２０】
連結部３３と上部背板接着部３１との境界線、及び連結部３３と下部背板接着部３２との境界線における折り曲げ角度がいずれも９０°になると、連結部３３は上部背板１１、及び下部背板２１のいずれに対しても垂直になる（図１(c)、及び図３参照）。上述のように、連結部３３と上部背板接着部３１との境界線は、上部支柱１２の下端から、下部支柱２２の高さ分だけ上方に配置されているため、下部支柱２２の下端と上部支柱１２の下端の高さは同一になる。従って、下部支柱２２を床などの水平面上に置くと、上部支柱１２の下端も同一水平面上に安定的に載置されることになり、ひな壇状の棚台を水平面上で安定的に置くことができる。さらに、本実施例では、連結部３３と上部背板接着部３１との境界線が上部棚箱１３の取り付け位置下端に沿うように配置されているため、連結部３３と上部背板接着部３１との境界線における折り曲げ角度が９０゜になると、上部棚箱１３の底面が連結部３３上に載置されることになる。
【００２１】
次に、本実施例に係る棚台において、上部支柱１２が延長される仕組みについて、図４を用いて説明する。上部支柱１２は、外枠１２１とスライド芯１２２から成る。外枠１２１の内部は空洞であり、側面には細長い窓１２３が設けられている。スライド芯１２２の外寸は外枠１２１の内寸より僅かに小さく、指を差し込む孔１２４が側面の上部に設けられている。スライド芯１２２は外枠１２１の内部に、窓１２３と孔１２４が同一方向を向くように収納されている。棚箱をひな壇状に配置する構成では、スライド芯１２２は完全に外枠１２１内部に収納されている。棚箱を上下に配置する構成に変化させる際には、使用者は指を窓１２３を介して孔１２４に挿入し、孔１２４を窓に沿って下方にスライドさせる。これにより、スライド芯１２２が外枠１２１下端から下方に露出して、上部支柱１２の長さが延長される。このようにして外枠１２１下端から露出したスライド芯１２２は、下部支柱２２内部に収納され、上部支柱１２と下部支柱２２が連結される。
【００２２】
本発明は上記実施例に限定されず、発明の趣旨の範囲内で変更が許容される。例えば、上記実施例では棚台は上下の２個であるが、３個以上にすることもできる。棚箱が３個の場合、真ん中の棚台は一番上の棚台との関係では下部棚台といえ、一番下の棚台との関係では上部棚台といえる。
【００２３】
本実施例では、連結板３０を、上部背板接着部３１、下部背板接着部３２、および連結部３３から成る構成としたが、連結部３３のみとすることもできる。その場合、連結部３３を上部背板１１や下部背板２１に対し、ヒンジなどを用いて回動可能に取り付けるとよい。
【００２４】
また、例えば、本実施例では上部棚台１０の上部棚箱１３は、連結部３３と上部背板接着部３１との境界線に沿う位置で取り付けられているが、連結部３３と上部背板接着部３１との境界線より上方に上部棚箱１３を取り付けてもよい（図５参照）。この場合、棚箱をひな壇状に配置した形態では、上部棚箱１３は連結板３０の連結部３３上に載置されることなく、連結部３３から少し浮いた状態で配置されることになる。また、下部背板接着部３２に下部背板２１の役割を兼用させて、下部棚箱２３を下部背板接着部３２に直接取り付けることも可能である。さらに、棚箱は直方体である必要はなく、側面を台形にすることも可能である（図６参照）し、上部支柱１２、下部支柱２２の形状も、図２、図３では直方体として示したが、三角柱や円柱など、様々な形態が考えられる（図６参照）。上記実施例に係る棚台は厚紙でできているが、素材が紙に限定されるものでもなく、プラスチックなどを用いることも可能である。
【符号の説明】
【００２５】
１０…上部棚台
１１…上部背板
１２…上部支柱
１３…上部棚箱
１４…紐孔
１５…紐
１６…支柱延長部分
２０…下部棚台
２１…下部背板
２２…下部支柱
２３…下部棚箱
３０…連結板
３１…上部背板接着部
３２…下部背板接着部
３３…連結部
１２１…外枠
１２２…スライド芯
１２３…窓
１２４…孔
【図１】
0005562402.tif 000002
【図２】
0005562402.tif 000003
【図３】
0005562402.tif 000004
【図４】
0005562402.tif 000005
【図５】
0005562402.tif 000006
【図６】
0005562402.tif 000007